Podtech/llm-jp-corpus-v4-ja_patent huggingface dataset:
(57)【要約】【課題】  従来の苦み味  調味料では、渋味や刳味などの副味作用もあり広く料理に使う事の出来ない不都合さを解決する。【解決手段】  生ニンニクをスライスして乾燥してから更に熱を加えて炭化するまで焼き焦がす、これで主な苦み味が出来上がる、もう一方の焼き加減は、乾燥スライスニンニクを薄い焦げ茶になるまで焼き上げる、これで香ばしいニンニク風味の味付けとなるこれら二工程で作られた焼きニンニク片を混合してから粉砕して濾過装置で水漉しをするとニンニク風味の苦み味  調味料液の抽出が出来上がりである。【特許請求の範囲】
【請求項１】
生ニンニクを薄くスライスして乾燥させて熱を加え炭化するまで焼き焦がしてから冷却して粉砕する。
【請求項２】
生ニンニクを薄くスライスして乾燥させて熱を加え薄い焦げ茶色になるまで焼き上げる更に冷却して粉砕する。
【請求項３】
請求項１で出来た炭化粉末と請求項２で出来た薄い焦げ茶色の粉末をそれぞれ２種類の粉末を混ぜ合わせてから水を注ぎ濾過して香ばしいニンニク味を含む苦み味の溶液を抽出する。
【発明の詳細な説明】
【技術分野】
【０００１】  本発明は、ニンニク風味苦み味調味料に関するものであり生ニンニクを薄くスライスして乾燥してから焼き焦がす又は焼き加減を調節することで苦み味の濃淡の溶液を抽出するものであめる。
【背景技術】
【０００２】  料理の旨味を引き出そうと苦み味を添加する調理師たちが大勢いるが化学調味料の苦み味は渋味や刳味などの副味作用もあり酷味を万遍なく引き出すことなど出来なかった無かった、
従来は生ニンニクを薄くスライスして乾燥してから焼き焦がしたり更に焼き加減を調節して苦み味の濃淡の溶液を抽出する事で、味付けする事など無かった。
【発明の開示】
【発明が解決しようとする課題】
【０００３】  しかし従来の苦み味調味料は渋味や刳味などの副味作用もあり広く料理に使う事のできない不都合さを解決する事を課題とする。
【課題を解決するための手段】
【０００４】  この課題を解決するための請求項１と請求項２と請求項３の発明で解決するものである、請求項１では主要の苦み味を作ることである
生ニンニクをスライスして乾燥してから更に熱を加えて炭化するまで焼き焦がす、これで主な苦み味を作り上げるそして冷却して粉砕する
請求項２では苦み味の濃淡と香ばしいニンニクの味付を作る事である
同じく生ニンニクを薄くスライスして乾燥してから更に熱を加えて薄い焦げ茶色になるまで熱加減を調節して焼き上げる事で苦み味の濃淡を作るまた同時にニンニクの香ばしい味付けも可能である
冷却して粉砕する。
請求項３では請求項１で出来た粉末と請求項２で出来た粉末を混合して水を注いで濾過をする事で香ばしいニンニク風味と苦み味の水溶液が抽出できる。
【発明の効果】
【０００５】  本発明により、渋味や刳味の副味作用も無くなり料理の隠し味として満遍なく使えるようになった苦み味調味料である、
請求項１で示した用に主要の苦み味は生ニンニクをスライスして乾燥してから炭化するまで焼き尽くした粉末ゆえ苦み味そのものである、
また請求項２で示したように苦み味とニンニクの香ばしい味付けは生ニンニクをスライスして乾燥してから熱を加えて薄い焦げ茶色に成るまで焼き加減を調節した事である、そこでニンニクの風味と苦み味の濃淡が得られる用になった、全てがニンニクを焼き焦がして製造する
ニンニク苦み味調味料は渋味や刳味など全く感じ受ける事の出来ない製品である。
【発明を実施しするための最良の形態】
【０００６】  本発明に係る、ニンニク苦み味調味料の製造方法請求項１の製造条件生ニンニクを薄くスライスして乾燥したニンニク片を  オ−ブントレ−に敷き詰めて電気オ−ブンに入れた状態［図１−１］炭化するまで焼く、ニンニク苦み味調味料の製造方法請求項２の製造条件生ニンニクを薄くスライスして乾燥したニンニク片をオ−ブントレ−に敷き詰めて電気オ−ブンに入れて薄い焦げ茶色に焼き加減をタイマーセットした状態［図１−２］薄い焦げ茶色に焼くようにセット、
ニンニク苦み味調味料の製造方法請求項３の製造条件
請求項１と請求項２それぞれの焼き条件で出来た２種類のニンニク片を粉砕して混合した粉を水濾過器に入れて長時間かけて水を落とし入れている状態［図１−３］
【産業上の利用可能性】
【０００７】  本発明に係る、ニンニク苦み味  調味料は、材料はニンニク球根の大小又は形状に係わらず利用する、従って材料は豊富で安価で調達出来る、
主な生産工程は熱処理にあるため量産に当たってはキルン等の工業力を利用する事も可能であり産業上の利用可能性も兼ね備えている。
【図面の簡単な説明】
【０００８】
【図１−１】  本発明に係る、ニンニク苦み味  調味料の製造図乾燥済ニンニク片をトレーに敷き詰めて電気オーブンに入れて焼き焦がしている状態の請求項１に係わる断面図である、
【図１−２】  乾燥済みニンニク片をトレーに敷き詰めて電気オーブンに入れて焼き加減をタイマーセットした状態の請求項２に係わる断面図である、
【図１−３】  請求項１で出来た炭化したニンニク片の粉末と請求項２で出来た  薄い焦げ茶色のニンニク片の粉末を混合した粉末を筒状の濾過装置に入れて微量の水を長時間かけて注ぎ込んでニンニク苦み味  調味料液を抽出している状態の請求項３に係わる断面図である。
【符号の説明】
【０００９】［図１−１］
１        乾燥済みスライスニンニク片
２        トレー
３        敷きつめて焼き焦がし中のスライスニンニク片
４        電気オーブンＯＮフルセットタイマースイッチ
６        電気オーブンシーズヒーター【００１０】［図１−２］
１        乾燥済みスライスニンニク片
２        トレー
３        敷きつめて焼き焦がし中のスライスニンニク片
５        電気オーブン温度調整中ＯＮタイマースイッチ
６        電気オーブンシーズヒーター【００１１】［図１−３］
７        筒状の濾過装置
８        水  調整バルブ
９        混ぜ合わせた２種類の焼き焦がしたニンニク粉末
１０      ストレーナー及びフィルター
１１      抽出されたニンニクの苦み味  調味料液
１２      水
【図１−１】
2017086052.tif 000002
【図１−２】
2017086052.tif 000003
【図１−３】
2017086052.tif 000004
【手続補正書】
【提出日】平成28年10月31日(2016.10.31)
【手続補正１】
【補正対象書類名】特許請求の範囲
【補正対象項目名】全文
【補正方法】変更
【補正の内容】
【特許請求の範囲】
【請求項１】
生ニンニクを薄くスライスして乾燥し、さらに熱を加えて炭化するまで焼き焦がし、冷却してから粉砕することを特徴とするニンニク風味苦み味調味料の製造方法。
【請求項２】
生ニンニクを薄くスライスして乾燥し、さらに熱を加えて生ニンニク全体が茶色になるまで焼き上げ、冷却してから粉砕することを特徴とするニンニク風味苦み味調味料の製造方法。
【請求項３】
請求項１で出来た粉末と、請求項２で出来た粉末を混ぜ合わせて水を注ぎ、漉して香ばしいニンニク味のする苦み味の溶液を抽出するニンニク風味苦み味調味料の製造方法。
(57)【要約】【課題】この発明は、筒状の状態を維持する繋止手段を獣害防除具に一体形成することにより設置作業が容易な獣害防除具を実現することを課題とする。【解決手段】可撓性を有する合成樹脂からなる長方形の板であって、その全面に規則的に穴が形成されており、円筒状に丸めて樹木の苗木を囲んで設置する樹木の獣害防除具であって、前記長方形の板の使用時に垂直となる辺の1つに、該長方形の板を円筒状に丸めた状態を維持するための繋止手段を複数個備えており、前記繋止手段は、前記穴に容易に挿入することはできても外れにくい構造をしており、しかも、前記長方形の板と同じ平面上に一体的に形成されている、構成とした。【選択図】図１
2017200450.tif 000002
【特許請求の範囲】
【請求項１】
可撓性を有する合成樹脂からなる長方形の板であって、その全面に規則的に穴が形成されており、円筒状に丸めて樹木の苗木を囲んで設置する樹木の獣害防除具であって、
前記長方形の板の使用時に垂直となる辺の1つに、該長方形の板を円筒状に丸めた状態を維持するための繋止手段を複数個備えており、
前記繋止手段は、前記穴に容易に挿入することはできても外れにくい構造をしており、しかも、前記長方形の板と同じ平面上に一体的に形成されている、
獣害防除具。
【請求項２】
前記長方形の板の使用時に水平となる２つの辺の外側に、柄の先端に支柱を通すリングが付いているものを複数個備えており、この柄及びリングが該長方形の板と同じ平面上に一体的に形成されている、請求項１に記載の獣害防除具。
【請求項３】
前記繋止手段が返しが付いている矢印の形をしている請求項１又は請求項２に記載の獣害防除具。
【請求項４】
前記繋止手段がタグピンのＴ字状の部分の形をしている請求項１又は請求項２に記載の獣害防除具。
【発明の詳細な説明】
【技術分野】
【０００１】
この発明は、樹木の苗木をノネズミやノウサギなどの食害から保護する獣害防除具に関する。
【背景技術】
【０００２】
合成樹脂製の網状の樹木防護網が考案されている。（例えば、特許文献１参照。）
【先行技術文献】
【特許文献】
【０００３】
【特許文献１】特開２００４−９８号公報
【発明の概要】
【発明が解決しようとする課題】
【０００４】
特許文献１に記載された樹木防護網は、結束材を使って筒状に丸めたシート状の樹木防護網を支柱に固定するものであるが、結束作業が面倒である。
この発明は、前記結束材の機能のうち筒状の状態を維持する機能を果たし、繋止作業が容易である繋止手段を獣害防除具に一体形成することにより設置作業が容易な獣害防除具を実現することを課題とする。
【課題を解決するための手段】
【０００５】
本発明の獣害防除具は、可撓性を有する合成樹脂からなる長方形の板であって、その全面に規則的に穴が形成されており、円筒状に丸めて樹木の苗木を囲んで設置する樹木の獣害防除具であって、前記長方形の板の使用時に垂直となる辺の1つに、該長方形の板を円筒状に丸めた状態を維持するための繋止手段を複数個備えており、前記繋止手段は、前記穴に容易に挿入することはできても外れにくい構造をしており、しかも、前記長方形の板と同じ平面上に一体的に形成されている、構成とした。
【０００６】
前記繋止手段の形状としては、返しが付いている矢印の形やタグピンのＴ字状の部分の形が考えられる。
【０００７】
また、支柱を通すリングを一体形成すれば、設置作業がさらに容易になる。
【発明の効果】
【０００８】
繋止手段を適当な位置の穴に差し込むだけで筒状の状態が維持されるので作業が容易になる。
【０００９】
支柱を通すリングを一体形成したものにあっては、設置作業が容易になる。
【００１０】
繋止手段及び支柱を通すリングは長方形の板と同じ平面に形成されており製作が容易である。また、重ねてもかさばらない。
【図面の簡単な説明】
【００１１】
【図１】本発明の獣害防除具の第１の形態の平面図である。
【図２】本発明の獣害防除具の第２の形態の平面図である。
【図３】本発明の獣害防除具の第３の形態の平面図である。
【図４】繋止手段が返しが付いている矢印の形の場合の繋止手段と穴との関係を示す断面図である。（（ａ）は繋止手段を穴に挿入する前の状態、（ｂ）は繋止手段が穴の縁辺に接している状態、（ｃ）は繋止手段をさらに押し込んだ状態、（ｄ）は繋止手段が外れる向きの力が働いている状態、を示している。）
【図５】本発明の獣害防除具の使用時の状態を示す概念図である。
【発明を実施するための形態】
【００１２】
以下、本発明の実施の形態を図１から図５までに基づいて説明する。
【００１３】
本発明の獣害防除具は、平面上に形成されたものを筒状に丸めて使用し、また、繋止手段３は使用時に変形するので、材料の合成樹脂は通常の使用時の温度で可撓性を有することが必要である。
【００１４】
穴２の形状は、方形が一般的であるが、円形、楕円形など方形以外の形状も可能である。
【００１５】
ノネズミやノウサギが忌避する成分を練りこんだ合成樹脂で製作することも可能である。
【００１６】
生分解性の合成樹脂で製作すれば、樹木の生長に支障が生じるまでに分解され、撤去作業が不要となることもある。
【符号の説明】
【００１７】
１    獣害防除具
２    穴
３    繋止手段
４    支柱を通すリング
５    支柱
【図１】
2017200450.tif 000003
【図２】
2017200450.tif 000004
【図３】
2017200450.tif 000005
【図４】
2017200450.tif 000006
【図５】
2017200450.tif 000007
(57)【要約】      （修正有）【課題】ゴキブリ捕獲粘着シートにチリが付着せず、ゴキブリ捕獲を確実にできるゴキブリ捕獲ＵＰ箱を提供する。【解決手段】従来のゴキブリ捕獲を外側から窓のない箱で覆うことで、長期間、ゴキブリ捕獲粘着シ−トにチリは付着することがなくなる。また、ゴキブリ捕獲を覆うことによって、暗く、狭い空間を好むゴキブリを誘う効果がまし、さらに覆うことによって餌の匂は拡散することもなくなり、さらに、ゴキブリ捕獲の効果をます。【選択図】図３
2017200464.tif 000002
【特許請求の範囲】
【請求項１】
ゴキブリの捕獲を確実にＵＰするために、粘着シ−トにチリが付着しないように、ゴキブリ捕獲全体を暗く、狭い通り道ができるように覆ことで、ゴキブリをゴキブリ捕獲に誘導し、さらにチリが付着しないようすることで長期間使用ができ、ゴキブリ捕獲ＵＰにつながるゴキブリ捕獲ＵＰ箱。
【発明の詳細な説明】
【技術分野】
【０００１】  本発明はゴキブリ捕獲を確実に、かつ、捕獲ＵＰにつながる箱に関する。
【背景技術】
【０００２】  従来のゴキブリ捕獲は粘着シ−トの中央に餌をＳＥＴし、ゴキブリが侵入する窓を設けた紙カバ−で覆い、粘着シ−トでゴキブリを捕獲している。
【発明の開示】
【発明が解決しようとする課題】
【０００３】  従来のゴキブリ捕獲は粘着シ−トの中央に餌をＳＥＴし、ゴキブリが粘着シ−トで捕獲できるように、ゴキブリが入るように窓を設けた紙カバ−で覆われている。そのために、設置している間に粘着シ−トにチリが付着し、長期間の使用が不可能である。【０００４】  本発明は、このような問題点を解決する物であり、長期間の設置の使用が可能になるもののである。
【課題を解決するための手段】
【０００５】  本発明は、上記目的を達成するために、粘着シ−トにチリが付着しないようにゴキブリ捕獲全体を覆うようにした箱である。
【発明の効果】
【０００６】  上記のようにゴキブリ捕獲全体を覆うことでチリが粘着シ−トに付着しなくなる。
【発明を実施するための最良の形態】
【０００７】  以下、本発明を図１、図２、図３、図４に基づいて説明する。【０００８】  図１は従来のゴキブリ捕獲の側面図、図２はその正面図で、ゴキブリの侵入空間より、チリが付着し、短期間に粘着性もなくなり、ゴキブリの捕獲ができなくなる。
最悪の場合は、粘着シ−ト一面、チリで真白になり、一匹のゴキブリも捕獲できないことが多々ある。
この問題を解決するために、図３、図４のようにゴキブリの侵入口はあるが、窓の無い箱でゴキブリ捕獲全体を覆うことによって、粘着シ−トにチリの付着もなくなり、長期間、設置が可能になる。
従来のゴキブリ捕獲がゴキブリ捕獲ＵＰ箱の定位置に収まるように、ゴキブリ捕獲ストッパを設けている。【０００９】  さらに、ゴキブリ捕獲全体を覆うことで、狭い空間、暗い場所を好むゴキブリの通り道としてゴキブリの誘導に効果的になる。
また、ゴキブリ捕獲全体を覆うために、餌の匂いは拡散することなく、ゴキブリの侵入口から集中して流れ、いっそうのゴキブリの誘導に効果がある。
【図面の簡単な説明】
【００１０】
【図２】従来のゴキブリ捕獲の側面図
【図２】従来のゴキブリ捕獲の正面図
【図３】ゴキブリ捕獲ＵＰ箱の側面図
【図４】ゴキブリ捕獲ＵＰ箱の正面図
【図１】
2017200464.tif 000003
【図２】
2017200464.tif 000004
【図３】
2017200464.tif 000005
【図４】
2017200464.tif 000006
【手続補正書】
【提出日】平成28年7月23日(2016.7.23)
【手続補正１】
【補正対象書類名】明細書
【補正対象項目名】００１０
【補正方法】変更
【補正の内容】
【００１０】
【図１】従来のゴキブリ捕獲の側面図
【図２】従来のゴキブリ捕獲の正面図
【図３】ゴキブリ捕獲ＵＰ箱の側面図
【図４】ゴキブリ捕獲ＵＰ箱の正面図
(57)【要約】      （修正有）【課題】三重層をうなぎの稚魚等が自由に行き来き出来る水槽として、また、水耕栽培用として、さらに水質浄化機能を持たせた多目的水槽を提供する。【解決手段】送排水口から一段水槽Ａ・二段水槽Ｂ・三段水槽Ｃへ送水し、それぞれ一段水槽Ａ・二段水槽Ｂの水槽に８分目入水したのを確認し、一段水槽Ａ・二段水槽Ｂの開閉バルブを閉め、その後、三段水槽Ｃの開閉口から溢れ出るのを確認し、この後、三段水槽Ｃの開閉バルブを閉め、その後、一段水槽Ａ・二段水槽Ｂそれぞれの開閉バルブを開き、水槽内の魚の出入口として開放する。【選択図】図１
2017200463.tif 000002
【特許請求の範囲】
【請求項１】
三重槽とバブル水で水耕栽培及びうなぎ稚魚等の育成を図るもので、それぞれの水槽をパイプで繋ぎ、又水中ポンプで「Ａ」「Ｂ」それぞれの水槽へ「螺旋状パイプ１」で下水槽「Ａ」の水を「Ｂ」水槽へ汲み上げ「螺旋状パイプ２」で「Ｂ」の水槽水を「Ａ」水槽へ落とす、この繰り返しで「バブル水＝泡状水」で、水の活性力を図り又三重槽をパイプで繋ぎ「うなぎの稚魚」等が自由に行き来できる水槽として開発した多目的水槽。
【発明の詳細な説明】
【技術分野】
【０００１】本発明は、アクリル製真空容器１個と、うなぎの稚魚等の出し入れが出来る、水槽２個をパイプで繋ぎ、最上水の流れを止める技法を持って、三重槽をうなぎの稚魚等が自由に行き来き出来る水槽として、また、水耕栽培用として、さらに水質浄化機能を念頭に、モデルビオトープ＝環境教育器材として、又多目的水槽として開発した。
【背景技術】
【０００２】現在、全国何処でも水質悪化が懸念されている、これは水環境を念頭に開発した物で、従来の水槽などでは魚の生息する環境は決て良好とは言えず、又水耕栽培に要する水容器にしても又生活排水を浄化する浄化層にしても水質浄化の機能が充分果たしているとは言えない、これ等を補うものとして二重槽・三重槽を設けることで、魚であれば生息する環境はさらに良好となり、又、飲料水不適と思われる様な水も、このニ重層・三重槽の循環過程で炭や水性植物を設置するだけで格段と浄化を高めることが出来、又うなぎ稚魚等の行動範囲を拡大させる事によって稚魚の育成を図り、モデル「ビオトープ＝命を育む場」としても重要と思われ、これ等を念頭に開発した。
【図面の簡単な説明】
【０００３】
【図１】「Ａ−１」から「１段槽・Ａ」・「２段槽・Ｂ」・「３段槽・Ｃ」へ送水し、それぞれ「Ａ・Ｂ」の水槽に８分目・入水したのを確認し、「１段槽・Ａ」「２段槽・Ｂ」の「開・閉・バルブ」を閉め、その後、最上水槽「Ｃ」の「開・閉」口から溢れ出るのを確認し、この後、この「Ｃ」の「開・閉・バルブ」を閉め・その後「Ａ」「Ｂ」それぞれの「開・閉・バルブ」を開き、魚の通路口として開放する
【図１】
2017200463.tif 000003
(57)【要約】      （修正有）【課題】従来の丸型ボタンはボタン入れ口が少し小さいとハメ難く、特に指先の弱った高齢者には楽にハメ、ハズしが出来る様に、一型ボタンの両先端を細くして、ボタン入れ口に入れ安く一型ボタンが自由に動くように、ボタン支柱を構成して、高齢者等が早く楽に脱着、出来る様にする。【解決手段】使用素材は油化樹脂ＰＰ等で一型ボタン１を成形して、ボタン支柱３を一型ボタン１が左右上下楽に自由に動く様にボタン入れ口に一型ボタン１入れて十字に交差してハズれ難く、指先でハズレ安く創案して、楽に早く脱着出来る様に。一型ボタン１の固定は従来と同じ、針穴に糸縫いも好し、出イボ５に衣布を入れてアイロン熱で押し平型にして固定する。【選択図】図１
2017200552.tif 000002
【特許請求の範囲】
【請求項１】
一型ボタン（１）に設けた両先端（２）を細くボタン入れ口に入れ安くの意で細くした一型ボタン（１）の構造。
【請求項２】
一型ボタン（１）を左右上下，自由に動き、素材ＰＰ樹脂等の反発性を活かしてのボタン機能  操作  効果を得る  ボタン支柱（３）の構造。
【請求項３】
一型ボタン（１）の取り付けに針穴台（４）に設けた  出イボ（５）に衣布を入れて  出イボ（５）の先端をアイロン熱で平型に押し固めて固定する構造。
【請求項４】
図示の  ボタン入れ口（７）と一型ボタンの十字交差にてボタンが外れ難くの小型ボタンの構成。
【発明の詳細な説明】
【技術分野】
【０００１】一型ボタンは両端が細い為、ボタンの入れ口に入れ安く、ハズれ難く、指先の弱い高齢者には操作簡単で最適、創案。
【背景技術】
【０００２】本創案はポリプロピレン（ＰＰ）樹脂等で作った、ボタンですので従来のように縫い糸が切れてボタンが落ちる事無く、指先の弱った高齢者向けのハメ、ハズし、簡単な創案。
【先行技術文献】
【０００３】
【特許文献１】無し
【発明の概要】
【発明が解決しようとする課題】
【０００４】丸型ボタンはボタンのボタン入れ口（７）がヤヤ小さいと入れ難く、ボタン付け糸は使わず、全体をＰＰ樹脂等で製形で従来の様に糸キレが無くボタンの落ちる事無く、操作簡単，ハメ安く，外れ難く、便利な創案。
【課題を解決するための手段】
【０００５】従来の丸型ボタンは  ボタン入れ口（７）が  少し小さいと指先の弱い高齢者にはハメる難々の不便を無くす為に、一字型ボタン（１）がハメ穴に入れ安くの意で両先端（２）を細く、ハメ安く，外れ難く、指先で外れ安く、ボタンの取り付けも従来と同じ  針穴（６）を針穴台（４）に設け、糸付けも良し、出イボ（５）の先に穴空き衣布を入れて、出イボ（５）の先をアイロン熱で押して、出イボ（５）を平型に押し固めてボタンを固定。
【発明の効果】
【０００６】従来の丸型ボタンと比べて、本創案は図示の両先端（２）が細く、指先の弱った高齢者にはボタン入れ口（７）へ入れ安く、ハズし安く、外れ難い、入れ，外しが簡単容易は図示のボタン支柱（３）は薄く細く柔軟自由、一型ボタン（１）は左右上下楽に自由に動き、指先を一型ボタン（１）から離せば反発性で元に帰るので  ボタン入れ口（７）に一型ボタン（１）を入れると、十字に交差しますので、入れ安く、外れ難くの意です、取り付け簡単容易で高齢者向け創案。
【図面の簡単な説明】
【０００７】
【発明を実施するための形態】
【０００８】本創案の素材はポリプロピレン（ＰＰ）等で成型し、一型ボタン（１）の両先端（２）はボタン入り口（７）に  入り安くの意で先端を細く、ボタン支柱（３）は一型ボタンが左右上下に動く自由を得る為に薄く細く成型して、一型ボタン（１）から指先を離せば元の位置に戻る，ＰＰ樹脂等の反発性を活かして、ボタン入れ口（７）に入れた  一型ボタン（１）と十字に交差して、外れ難く、ハメ安く、指先で外し安く，一型ボタン（１）の取り付けは針穴台（４）に開けた針穴（６）に針糸で止めで好し、針穴台（４）に設けた  出イボ（５）に衣布を入れ、電気アイロンの熱で平型に押し固めて固定。
【符号の説明】
【０００９】１．  一型ボタン
２．  先端
３．  ボタン支柱
４．  針穴台
５    出イボ
６    針穴
７    ボタン入れ口
2017200552.tif 000003
【手続補正書】
【提出日】平成28年5月30日(2016.5.30)
【手続補正１】
【補正対象書類名】明細書
【補正対象項目名】０００７
【補正方法】変更
【補正の内容】
【０００７】
【図１】正面図。
【図２】側面図。
【図３】上面図。
【図４】底面図。
【図５】斜視図。
【図６】ボタン入れ口と一型ボタン交差図。
【手続補正２】
【補正対象書類名】図面
【補正対象項目名】全図
【補正方法】変更
【補正の内容】
【図１】
2017200552.tif 000004
【図２】
2017200552.tif 000005
【図３】
2017200552.tif 000006
【図４】
2017200552.tif 000007
【図５】
2017200552.tif 000008
【図６】
2017200552.tif 000009
(57)【要約】【課題】  羽のような突起物によって回転力を得るものから凸カーブをもつものを羽の代替として使用することで回転力を得ることを提供する。【解決手段】  スプーン先端部（１）を帯状のもの（２）に規則的に配置する。これを円盤状のもの（３）の円周上に環状に設置することで、軸（４）に回転運動を生じることを特徴とする。【選択図】図１
2017200548.tif 000002
【特許請求の範囲】
【請求項１】
スプーンの先端部のような凸状のものを円周上に配置し、凸状のものを利用して、回転運動を得るもの。
【発明の詳細な説明】
【技術分野】
【０００１】  この発明は、ある凸カーブをもつ部品を帯状のものに規則的に配置したものを円盤状の円周上に環状に取り付け、これを流動体に接触させて円運動を得るくるくるくるりんに関するものである。
【背景技術】
【０００２】  運動している力とこの力を受ける面を対峙させることで回転を得ていたが、力とある曲面を接触させることで回転を得るものである。
【先行技術文献】
【特許文献】
【０００３】
【発明の概要】
【発明が解決しようとする課題】
【０００４】  これは次のような欠点があった。
（イ）流れに進入するときに受ける面に逆向きの力が働くこと。
（ロ）羽が突起上になっているので、危険度が高い。
本発明は、以上のような欠点をなくすためになされたものである。
【課題を解決するための手段】
【０００５】  水道の流れにスプーン先端部を接触させると水の流れの方に引き寄せられる。この現象を利用することにしました。このスプーン先端部をスプーンより切断し、切断面を丸く研摩して、亀の甲羅のようにしました。これを円盤状の円周上に規則的に配置します。これを水道の流れに接触されるとくるくるとよく回ります。
本発明は、以上の構成よりなるくるくるくるりんである。
【発明の効果】
【０００６】  （イ）水道の流れで回るのであれば、強風でも回るのではないかと思い、呼気にて強く吹くと同様に回りました。これによって、流れの媒体は、液体や気体とを問わないことから流動体の力を源泉とすることができます。
（ロ）凸曲面の回転になることで、接触しても大して痛さは、感じないので、危険度がかなり軽減されている。
【図面の簡単な説明】
【０００７】
【図１】  本発明の斜視図である。
【発明を実施するための形態】
【０００８】  以下、本発明を実施するための形態について説明する。
スプーンの柄の方を切断し、残った先端部の切断面を丸く研摩する。これをスプーンの  先端部（１）と呼ぶ。これを複数個作成する。
帯状のもの（２）に規則的にこれらを配置するとスプーンの先端部が帯状のものに凸、  凸と連続したものができる。
今度は、これを円盤状のもの（３）の円周上に取り付ける。
円盤状のもの（３）の中心に軸（４）を入れる。
本発明は、以上のような構造である。
簡単に言えば、独楽の外周に凸凸が付いているものである。外周の凸凸に力を加えると回転が生じる。この回転を利用するものです。
【符号の説明】
【０００９】    １  スプーンの先端部
２  帯状のもの
３  円盤状のもの
４  軸
【図１】
2017200548.tif 000003
(57)【要約】【課題】  火薬としての規制を受けない火薬成分を含まない火花発生キャンドル【解決手段】火花剤分離薬を用いたり、燃焼残渣を受ける容器を用意する。【特許請求の範囲】
【請求項１】
おおむね粒径９０ミクロン以下のチタン、などの火花剤を混入したパラフィン又はパラフィン同様キャンドルに用いられる物質を用いたキャンドルで火薬となる酸化剤などの成分を使用していないものに蓚酸などの火花剤分離薬を混入したもの
【請求項２】
請求項１の火花剤分離薬として蓚酸をもちいたもの
【請求項３】
請求項１及び２のキャンドルをセットし燃焼残渣を受けるための不燃性ないし難燃性の専用容器
【発明の詳細な説明】
【技術分野】
【０００１】  本発明は燃焼中に火花を発生しつつ燃える視覚効果の高い蝋燭に関する
【背景技術】
【０００２】火花を発生する方法として花火用火薬を用いて蝋燭の点火に際して火花を発生する製品はあった。また極めて細い蝋燭の燃焼時に極く少量の火花を発生させる製品も見受けられた。【０００３】しかし蝋燭の燃焼中に大量の火花を発生させるような製品はなかった。
これは蝋燭中に火花剤を大量に混和すると燃焼が妨げられるためで立ち消えたり、燃焼中に大量の火花剤がいっぺんに燃えて爆発的燃焼をするためと考えられる。
【発明の概要】
【発明が解決しようとする課題】
【０００４】蝋燭の燃焼を妨げずに火花を多量に発生させる手段を得ること
【課題を解決するための手段】
【０００５】火炎中で容易に分解して火花剤を蝋や芯から分離させる火花剤分離薬を混和しておく。【０００６】また火花剤をチタンの場合おおむね９０ミクロン以下５０ミクロン以上の粒径のものとするなど粒径を火花剤の種類により適切に選択することにより火花効果を大きくすることが出来る。
【発明の効果】
【０００７】本発明により芯が火花剤およびその燃焼生成物により汚染される程度が低下しより長時間安定に燃焼せしめることが出来るようになった。なお多少の燃焼残渣が発生するのでそれを受けるための容器を用いることで周囲に悪影響を及ぼさない。
【図面の簡単な説明】
【０００８】
【図１】この発明の一実施形態を示す図である
【実施例１】
【０００９】パラフィン５０重量パーセント
蓚酸      １０重量パーセント
チタン粉末４０重量パーセント（粒径５０〜９０ミクロン）
上記配合物を摂氏７５度程度に加熱し均一に混和したものに、パラフィンを滲みこませたキャンドル芯を浸けてすぐ取り出し、芯に付着させ、これを１回ないし複数回おこなってキャンドルとする。なおあまり太くするとかえって効果が薄れるので太さは５ｍｍ程度までとする。通常は３ｍｍ程度で十分である。【００１０】また点火部の芯には蓚酸を混和していないチタン入りパラフィンを塗りつけて点火してすぐに火花が発生するようにする。短く細い部分であれば蓚酸は不要である。出来たものは長さ３〜５ｃｍにカットしてアルミカップなどの不燃性容器の中央に取り付けた不燃性ホルダーにセットして使用する、あるいはマイクロクリスタリンワックスなどの接着材料で容器に固定する。【００１１】なおアルミカップはチタンの燃焼している粒が落下すると溶けて穴があき、下にあるテーブルなどを焦がすおそれがあるので、厚紙に糊などで固定しておく。
これの一番上に点火すると火花を発生しつつ本蝋燭製品は約３〜５分ほど燃焼する。
【図１】
2017200987.tif 000002
(57)【要約】      （修正有）【課題】漢方薬草である地黄、黄精は、固い粘土状の薬材であり、これを粉末状にして飲用する方法の提供。【解決手段】地黄、黄精の薬材を、摂氏０℃近くにまで冷凍して固形物質化し、砕粉機で細かく砕き、他の粉末薬剤に混ぜて粉砕機にかける事で、細粉化された地黄、黄精が溶けて粉末薬剤に吸収され、非常に安価で短時間で粉末加工化することで、地黄、黄精の持つ薬効を損なうことなく一般錠剤などで広く飲用できる方法。【選択図】図２
2017200898.tif 000002
【特許請求の範囲】
【請求項１】
漢方薬草である地黄と黄精の冷凍固形化による粉末加工方法
【発明の詳細な説明】
【技術分野】
【技術分野】冷凍固形化するだけなので、薬草の効能に影響はない
【背景技術】なし
【先行技術文献】
なし
【発明の概要】
【発明が解決しようとする課題】
【０００１】今まで高粘度・切りにくいために高粱酒などで溶かしてしか使用出来にくかったものを、安価に、しかも薬材効能を劣化させずに粉末化して自由に使う事が可能となった
【課題を解決するための手段】
【０００１】地黄と黄精を摂氏零度に近い状態にまで冷やすことで、粘土質の薬草が固形化し、薬物材料粉砕機でもって粉状になるまで粉砕することが可能となった
粉砕時に他の薬剤粉末を同時に混入することで、地黄・黄精の凍った粉末が、溶けだして他の薬剤粉末に、吸い取られる
【図面の簡単な説明】
【図１】冷凍固形化された地黄・黄精のかたまり互いにくっついて離れにくい
【図２】粉砕されて粉状になったものが、ほかの薬草粉末に溶けて吸収されたもの
【発明を実施するための形態】
【０００１】冷凍固形化されたかたまりが、容易に粉砕化されやすくするために、出来るだけ小さな塊にしたものを、冷凍する事
【図１】
2017200898.tif 000003
【図２】
2017200898.tif 000004
(57)【要約】     【課題】自転車で、ゴルフバックを持って、ゴルフ練習場や、ゴルフ場に行けるようにする事が課題です。【解決手段】  後ろ側の荷台にゴルフバックキャリアを取り付けます。ゴルフバックキャリアは、必要なときに取り付けるタイプか、常時、取り付けるタイプかにいたします。但し、常時取り付けタイプの場合は、折りたたみタイプとし、後ろ側の荷台は、常時、使用出来るように致します。ゴルフバックキャリアは、自転車の後ろ側の荷台に取り付けられ、折り畳む事が出来ます。前記ゴルフバックキャリアは、広げて、ゴルフバックを乗せる事が出来ます。【選択図】  図１
2017200799.tif 000002
【特許請求の範囲】
【請求項１】
ゴルフバックキャリアは、自転車の後ろ側の荷台に取り付けられ、折り畳む事が出来る事を特徴とする
自転車用ゴルフバックキャリア
【請求項２】
前記ゴルフバックキャリアは、広げて、ゴルフバックを乗せる事を特徴とする請求項１に記載の
自転車用ゴルフバックキャリア
【発明の詳細な説明】
【技術分野】
【０００１】
自転車で、ゴルフバックを運搬するには、非常に無理が、有るし、危険が、あります。
【背景技術】
【０００２】
最近は、省エネの考えが定着し、仕事以外は、出来るだけ、車の使用を控え、移動手段は、電車、バス、自転車もしくは歩行にしています。
【０００３】
ゴルフの練習が、今のところ、車で行っています。距離的には、自転車で20分〜30分で移動できますが、自転車で行くと、ゴルフバックが、持って行けません。
【０００４】
自転車でゴルフバックを運搬する方法が、確立できることを希望します。
【０００５】
特開2008-080128号は、ゴルフバック運搬具が、述べられています。
【先行技術文献】
【特許文献】
【０００６】
【特許文献１】特開2008-080128号
【特許文献２】特開2011-055968号
【発明の概要】
【発明が解決しようとする課題】
【０００７】
自転車で、ゴルフバックを持って、ゴルフ練習場や、ゴルフ場に行けるようにする事。
【０００８】
ゴルフバックを肩からからって、自転車を運転する。バックが、重いし、大きいので、肩で担ぎながらの運転は無理です。
【０００９】
前カゴにゴルフバックは、入りません。入ったとしても前カゴにゴルフバックを入れると前が、見えなくなりますし、不安定すぎて、危険ですし、運転不可能です。
【課題を解決するための手段】
【００１０】
後ろ側の荷台にゴルフバックキャリアを取り付けます。
【００１１】
ゴルフバックキャリアは、必要なときに取り付けるタイプか、常時、取り付けるタイプかにいたします。但し、常時取り付けタイプの場合は、折りたたみタイプとし、後ろ側の荷台は、常時、使用出来るように致します。
ゴルフバックキャリアは、自転車の後ろ側の荷台に取り付けられ、折り畳む事が出来ます。
前記ゴルフバックキャリアは、広げて、ゴルフバックを乗せる事が出来ます。
【発明の効果】
【００１２】
自転車の後ろの荷台にゴルフバックが、積み込めて、近場のゴルフ練習場や、ゴルフ場に自転車に行ければ、ゴルフが、楽しくなります。
【図面の簡単な説明】
【００１３】
【図１】自転車の後ろ側の荷台にゴルフバックキャリアを取り付けたイメージ図
【図２】ゴルフバックキャリアの取付状況とゴルフバックをゴルフバックキャリアに乗せたイメージ図
【符号の説明】
【００１４】
１            自転車
２            後ろ側の荷台（リアキャリア）
３            ゴルフバックキャリア（折畳んだ状態）
４            ゴルフバックキャリア（広げて設置した状態）
５            ゴルフバックキャリアを起こした状態
６            ゴルフバックキャリアを起こして支えを出した状態
７            ゴルフバックキャリアの下部を広げている状態        
８            ゴルフバックキャリアの下部を広げた状態
９            ゴルフバックキャリアの下部のゴルフバック支え部を
広げている状態
１０          ゴルフバックキャリアにゴルフバックを乗せた状態
【発明を実施するための形態】
【００１５】
以下、本発明の実施の形態を図に基づいて説明する。
図１は、自転車の後ろ側の荷台にゴルフバックキャリア３を取り付けた状態
です。
自転車１の後ろ側の荷台２にゴルフバックキャリア３を折畳んだ状態で取り付けます。
【００１６】
ゴルフバックキャリアは、自転車の後ろ側の荷台に取り付けられ、折り畳む事が出来ます。
ゴルフバックキャリアは、広げて、ゴルフバックを乗せる事が、出来ます。
【００１７】
図2は、後ろ側の荷台２に取り付けられ、折り畳まれている、ゴルフバック
キャリア３を広げていく順番が、書かれています。
【００１８】
ゴルフバックキャリア３を起こし、支え６を荷台２に引っ掛け、下部７を広げて
伸ばします。伸ばした上体が８です。
【００１９】
ゴルフバックキャリアの下部のゴルフバック支え部９を広げます。
【００２０】
ゴルフバック１０を乗せます。ゴルフバック１０をゴルフバックキャリア３に
紐かロープで固定し、自転車に乗って、ゴルフ場かゴルフ練習場に出発します。
【図１】
2017200799.tif 000003
【図２】
2017200799.tif 000004
(57)【要約】【課題】短くなった溶接棒を、使いやすいように、溶接棒の両端を平らにし繋げやすくした、節約棒を提供する。【解決手段】［図１］正面図の拡大図、▲２▼と▲３▼に溝を彫り▲４▼を平らにして仮付けして繋げやすくした。【選択図】図３
2017200703.tif 000002
【特許請求の範囲】
【請求項１】
［図面］１の拡大図で溶接棒に溝を彫って潰しやすいようにした。▲３▼の溝である
［図１］の正面図の、拡大図▲２▼の溝は▲３▼の溝より少し深く彫ってあるので、ニッパーやペンチで容易に切断できる。うえ熱も逃げる
○丸棒のまま溶接で繋げるより簡単である。
○特許請求の範囲は［図１］の正面図・拡大図▲２▼・▲３▼・▲４▼の斜線部の部分は、私の権利である。
節約溶接棒である。
［物品の製造方法］第１に［図１］正面図の拡大図▲３▼に溝を彫る。
第２、▲４▼の部分を、ハンマーで平らにする
第３、拡大図▲２▼の溝を彫る
第４、▲４▼の部分を重ねて仮付溶接する［図３］の▲８▼
【発明の詳細な説明】
【技術分野】
【０００１】この発明は、短かくなっても使える（節約溶接棒）に関するものである。
ガス又はティグ溶接です。溶接が進むと、５ｃｍ〜６ｃｍ残して、溶接を捨てていました。熱くなって持っていられないからです。捨てていた溶接棒を使える様にしました。
【背景技術】
【０００２】従来の溶接棒は、丸くて両端は直角に切断してあるだけ、溶接棒を、繋げようとしても容易に繋げない。
【先行技術文献】
【特許文献】
【０００３】
【特許文献１】
【発明の概要】
【０００４】従来は、５ｃｍ〜６ｃｍを捨てていた溶接棒を、両端を平らに潰して、溝を彫り繋ぎやすく、切断も容易にできるようにした。
【課題を解決するための手段】
【０００５】  溶接棒の［図面１］の正面図▲６▼の両端に拡大図▲３▼と▲２▼に溝を彫り、西端を潰して溶接しやすいようにしました。
本発明は、以上の構成よりなる節約溶接棒である。
【発明の効果】
【０００６】  西端が平らなので、短くなった溶接棒でも、新しい溶接棒に、仮付け溶接して、捨てていた溶接が使える、節約溶接棒です。【０００７】
【図１】
本発明の正面図である。
【図２】
本発明の側面図である。
【図３】
本発明の使用例である。
【発明を実施するための形熊】
【０００８】以下、本発明を実施するための形熊について説明する。
溶接棒［図２］側面図▲５▼従来の溶接棒に［図１］正面図の拡大図▲３▼に溝を彫り▲４▼の部分を潰して平らにして、その後▲２▼の溝を彫った溶接棒である。
【符号の説明】
【０００９】１、溶接棒
２、▲２▼・▲３▼溝
３、▲７▼残り溶接棒
４、▲４▼  ［図１］正面図の拡大図平らに潰した部分。
【図１】
2017200703.tif 000003
【図２】
2017200703.tif 000004
【図３】
2017200703.tif 000005
(57)【要約】【課題】茶道の点前稽古の予習や復習、伝授は沢山の茶道具が必要になり、実際に茶道具を使っての点前稽古の予習や復習、伝授は点前稽古のスペースも必要とする事を課題とする。【解決手段】点前稽古の予習や復習、伝授に必要な茶道具をそれぞれ写真やイラストをカードに一枚一枚分けてプリントする。【選択図】図１
2017001376.tif 000002
【特許請求の範囲】
【請求項１】
茶道の点前に必要な数々の茶道具のイラストや写真がそれぞれ一枚一枚プリントされているトランプや名刺のようなカード。
【発明の詳細な説明】
【技術分野】
【０００１】  本発明は、茶道具の写真やイラストがプリントしているカードの形状に関し、実物の茶道具を使わなくても本発明の茶道点前カードで茶道の点前手順、道具の扱いを確認、伝授を容易にした茶道点前カードに関するものである。
【背景技術】
【０００２】  従来の茶道の稽古、いわゆる伝授、修練は茶室にて茶道具を利用して行われていた。
【発明の概要】
【発明が解決しようとする課題】
【０００３】  茶道の稽古には沢山の茶道具が必要となる。茶道具を使っての稽古となると場所も限られてくる。
そこでこの発明は、茶道の点前稽古の予習や復習、伝授等を場所を問わず行える事を提供する事を課題とする。
【課題を解決するための手段】
【０００４】  本発明は、多くの茶道具を一枚一枚別々に写真やイラストをプリントしたカードを特徴とする。
【発明の効果】
【０００５】  本発明の茶道点前カードは、茶道具をカードとして持ち運べ、場所を問わず茶道点前の稽古、予習や復習、伝授が簡単に行える利点がある。
【図面の簡単な説明】
【０００６】
【図１】本発明の平面図である。。
【符号の説明】
【０００７】１  風炉のカード
２  茶筅のカード
３  柄杓のカード
４  茶入のカード
５  茶杓のカード
６  茶碗のカード
７  建水のカード
【図１】
2017001376.tif 000003
(57)【要約】【課題】  まな板を使用し続けると表面に包丁などで細かい傷ができ、洗浄しても油などはおちにくく、また漂白しても汚れや細菌が付きやすい為、まな板を研磨するのに従来品の研磨器は耐久性が弱く、スポンジ状の為に力が均一に伝わり難い物や、持ち手がなく研磨しにくいものだった。  本発明は、まな板を削るためのまな板削り器を提供する。【解決手段】棒状の本体にヘット部と柄部分を設け、ヘット部裏側先端付近に傾斜が付いた金属性削り刃を湾曲した接地面に設けたことを特徴とする、まな板削り器。【選択図】図２
2017001377.tif 000002
【特許請求の範囲】
【請求項１】
棒状の本体にヘット部と柄部分を設け、ヘット部裏側先端付近に傾斜が付いた金属性削り刃を湾曲した接地面に設けた、まな板削り器。
【発明の詳細な説明】
【技術分野】
【０００１】  本発明は、木製又は樹脂製の厚みがあるまな板の表面上のカビや汚れ、細菌を削り取ることができる、まな板削り器に関するものである。
【背景技術】
【０００２】  従来、まな板の手入れは、洗剤や漂白剤などの薬品を使用していた。
他にはスポンジの表面に研磨粒子が付いた削り具、あるいは直線的な鋭角な刃を付けた器具などがある。
【先行技術文献】
【特許文献】
【０００３】
【特許文献１】特開２０００−３４３４４２号広報
【特許文献２】特開２０１１−２４５２４８号広報
【発明の概要】
【発明が解決しようとする課題】
【０００４】  まな板を使用し続けると表面に包丁などで細かい傷ができ、洗浄しても油などはおちにくく、また漂白しても汚れや細菌が付きやすい為、まな板を研磨するのに従来品の研磨器は耐久性が弱く、スポンジ状の為に力が均一に伝わり難い物や、持ち手がなく研磨しにくいものだった。
本発明は、以上の問題点を解決するためになされたものである。
【課題を解決するための手段】
【０００５】  棒状の本体にヘット部と柄部分を設け、ヘット部裏側先端付近に傾斜が付いた金属性削り刃を湾曲した接地面に設ける。
以上の構造からなるまな板削り器。
【発明の効果】
【０００６】  従来のスポンジに研摩材を付けたものは耐久性にかけ、又直線な削り刃をもつ削り器は、持ち手がなく直線的な削り刃のために、まな板に対し水平に削り刃を当てる必要があった。
本発明は、柄を付けることにより持ち手があり、削る時も力を入れやすく力を必要とせず、また削り刃を湾曲させることにより、まな板に対して水平に当てなくても、まな板を平均的に削ることができる。
【図面の簡単な説明】
【０００７】
【図１】本発明の表面傾視図
【図２】本発明の裏面傾視図
【発明を実施するための形態】
【０００８】以下、本発明の実施の形態を説明する。
（イ）本体（４）にヘット部（２）と柄部分（１）を設ける。
（ロ）ヘット部（２）の裏面先端を湾曲させた接地面に傾斜が付いた金属性削り刃（３）      を設ける。
本発明は以上のような構造である。
本発明を使用するときは、柄部分（１）を片手で持ち傾斜が付いた金属性削り刃（３）をまな板にあて柄部分（１）の方向へ引くことにより、まな板の表面を削る。
持ち手となる柄部分（１）を設けた事と、削り刃（３）が傾斜していることから、まな板研磨が容易にできる。
【符号の説明】
【０００９】１柄部分、２ヘット部、３削り刃  ４本体
【図１】
2017001377.tif 000003
【図２】
2017001377.tif 000004
(57)【要約】【課題】  生ごみの水切りをする時に、しっかりと水切りのできる、生ごみの水切りＢＩＮを提供する。【解決手段】上方に開口した縦長筒状の容器本体の開口部に、一部分を結合したフタを設け、容器本体と分離して、筒の内径に相応する大きさの押圧盤を設け、押圧盤の片面に取っ手を取り付け（使用時には上面側となる）、フタの裏中央に押圧盤収納ツメを設け、ツメの左右に消臭剤を取り付け、筒内下部に、内径に嵌合し、筒の約三分の一位の深さを有する引き出し式水受けを設け、引き出し式水受けの天井面に多数の水切り孔を設け、引き出し式水受けの外周壁に一か所引き出し取っ手を取り付けてこれを正面側とし、筒底縁において正面側に突き出る形でペダルを設け、容器本体の開口縁から内壁に沿わせる形で引き出し式水受けの天井面まで水切りネットをセットし、水切りネットの上端域は容器本体の開口縁から外へ外壁面に沿わせて折り返したことを特徴とする生ごみの水切りＢＩＮ．【選択図】図１
2017001877.tif 000002
【特許請求の範囲】
【請求項１】
上方に開口した縦長筒状の容器本体の開口部に、一部分を結合したフタを設け、容器本体と分離して、筒の内径に相応する大きさの押圧盤を設け、押圧盤の片面に取っ手を取り付け（使用時には上面側となる）、フタの裏中央に押圧盤収納ツメを設け、ツメの左右に消臭剤を取り付け、筒内下部に、内径に嵌合し、筒の約三分の一位の深さを有する引き出し式水受けを設け、引き出し式水受けの天井面に多数の水切り孔を設け、引き出し式水受けの外周壁に一か所引き出し取っ手を取り付けてこれを正面側とし、筒底縁において正面側に外に突き出る形でペダルを設け、容器本体の開口縁から内壁に沿わせる形で引き出し式水受けの天井面まで水切りネットをセットし、水切りネットの上端域は、容器本体の開口縁から外壁面に沿わせて外へ折り返したことを特徴とする生ごみの水切りＢＩＮ。
【発明の詳細な説明】
【技術分野】
【０００１】  本発明は、生ごみの水切りをする時に、しっかり水切りのできる、生ごみの水切りＢＩＮに関するものである。
【背景技術】
【０００２】  従来、生ごみの水切りをする時は、流し台の三角コーナーに水切りネットをセットし、ペットボトルなどで生ごみの水を絞ったり、ゴム手袋をはめた手で絞っていた。また、生ごみをそのまま流し台近くに置いたスーパーの袋などに入れたりしていた。
【特許文献１】
【発明の開示】
【発明が解決しようとする問題】
【０００３】  そのために、次のような問題点があった。
（イ）生ごみの水切りをペットボトルなどですると、バランスが悪く、平均的に押すことができず十分な水切りができなかった。
（ロ）ゴム手袋をはめた手で生ごみの水切りをした時、魚の骨や爪楊枝等が手に刺さり、痛く、危ない思いをした。
（ハ）生ごみをそのまま流し台近くのスーパーの袋などに入れた状態は汚らしく、また水分が残り匂いが臭かった。
（ニ）生ごみの水きりが十分にできないと、ごみの減量化に役にたたない。
（ホ）生ごみはその８０％以上が水分といわれている。生ごみの水切りが不十分だと、ごみが重く、ごみを出す人、またごみ収集車で働く人たちの負担になる。
本発明は以上の問題点を解決しようとするものである。
【課題を解決するための手段】
【０００４】  上方に開口した縦長筒状の容器本体の開口部に、一部分を結合したフタを設け、容器本体と分離して、筒の内径に相応する大きさの押圧盤を設け、押圧盤の片面に取っ手を取り付け（使用時には上面側となる）、フタの裏中央に押圧盤収納ツメを設け、ツメの左右に消臭剤を取り付ける。筒内下部に、内径に嵌合し、筒の約三分の一位の深さを有する引き出し式水受けを設け、引き出し式水受けの天井面に多数の水切り孔を設け、引き出し式水受けの外周壁に一か所引き出し取っ手を取り付けてこれを正面側とし、筒底縁において正面側に外に突き出る形でペダルを設ける。容器本体の開口縁から内壁に沿わせる形で引き出し式水受けの天井面まで水切りネットをセットし、水切りネットの上端域は容器本体の開口縁から外へ外壁面に沿わせて折り返す。
以上を特徴とする生ごみの水切りＢＩＮである．
【発明の効果】
【０００５】  生ごみの水切りがしっかりとでき、ごみの減量化に役立つ。また、魚の骨などで手を傷つけることなくごみの処理ができ、流し台周りの汚れや臭いがなくなり、キッチン等が清潔になる。また、生ごみの重さが減ることで、生ごみを出す人、ごみ収集車で働く人たちの負担が軽減される。
【発明を実施するための形態】
【０００６】  以下、本発明の実施の形態を説明する。
（イ）上方に開口した縦長筒状の容器本体（１）の開口部（２）に、一部分を結合したフタ（３）を設ける。
（ロ）容器本体（１）と分離して、筒の内径に相応する大きさの押圧盤（６）を設け、押圧盤の片面に押圧盤取っ手（７）を取り付け、使用時はこちらが上面となる。
（ハ）フタの裏中央に押圧盤収納ツメ（４）を設け、ツメの左右に消臭剤（５）を取り付ける。
（ニ）筒内下部に内径に嵌合し、本体筒の約三分の一位の深さを有する引き出し式水受け（８）を設け、引き出し式水受けの天上面に多数の水切り孔（９）を設け、引き出し式水受けの外周壁に一か所引き出し取っ手（１０）を取り付けてこれを正面とする。
（ホ）筒底縁において、正面側に、外に突き出る形でペダル（１１）を設ける。
本発明は、以上の構成よりなっている。
本発明を使用する時は、上記の生ごみの水切りＢＩＮの容器本体（１）のペダル（１１）を踏み、フタ（３）を開け、容器本体の開口部（２）から内壁に沿わせる形で、引き出し式水受け（８）の天井面まで水切りネット（１２）をセットし、水切りネットの上端域は容器本体の開口縁から外へ折り返す。水切りネットの中に生ごみ（１３）を入れ、フタを閉める。
生ごみがたまったら、フタに取り付けられた押圧盤収納ツメ（４）から押圧盤（６）を取り外し、押圧盤取っ手（７）を持って、生ごみの上から下方へと押し、生ごみの水分を十分に切る。水分は水切り孔（９）を通り、水受け用引き出し（８）にたまる。押圧盤（６）を洗ってフタに取り付けてある押圧盤収納ツメ（４）に戻し、十分に水分を切った生ごみが入った水切りネット（１２）を取り出し、口を閉じて捨てる。引き出し式水受け（８）を引き出し、たまった水分は処分し、洗って容器本体（１）に戻す。
尚、容器本体の形状を縦長直方体状等に形成しても、構造と各部位の機能は何ら影響を受けず、同一の効果が得られる。
【図面の簡単な説明】
【０００７】
【図１】本発明の斜視図
【図２】本発明の別の実施形態を示す斜視図
【符号の説明】
【０００８】    １  筒状容器本体
２  開口部
３  フタ
４  押圧盤収納ツメ
５  消臭剤
６  押圧盤
７  押圧盤取っ手
８  引き出し式水受け
９  水切り孔
１０  引き出し取っ手
１１  ペダル
１２  水切りネット
１３  生ごみ
１４  直方体状容器本体
【図１】
2017001877.tif 000003
【図２】
2017001877.tif 000004